(57)【要約】【課題】医用画像診断装置のコンソールの修理作業に関して、適切な作業時間を提示すること。【解決手段】実施形態に係る医用システムは、記憶部と、取得部と、算出部と、表示部とを含む。記憶部は、医用画像診断装置のコンソール装置に設けられ、医用データを記憶する。取得部は、前記コンソール装置に含まれる部品の修理／交換作業とともに実施される附帯作業においてバックアップデータが生成される前記医用データのデータ量を取得する。算出部は、前記データ量に基づいて前記附帯作業に要する第１の時間を算出する。表示部は、前記部品の修理／交換作業に関する情報と、前記第１の時間とを含む通知情報を表示する。【選択図】      図１
2020067705.tif 000002
【特許請求の範囲】
【請求項１】
医用画像診断装置のコンソール装置に設けられ、医用データを記憶する記憶部と、
前記コンソール装置に含まれる部品の修理／交換作業とともに実施される附帯作業においてバックアップデータが生成される前記医用データのデータ量を取得する取得部と、
前記データ量に基づいて前記附帯作業に要する第１の時間を算出する算出部と、
前記部品の修理／交換作業に関する情報と、前記第１の時間とを含む通知情報を表示する表示部と
を具備する医用システム。
【請求項２】
前記部品の修理／交換作業に関する情報は、前記部品の修理／交換作業に要する第２の時間を含む、請求項１に記載の医用システム。
【請求項３】
前記部品の修理／交換作業に関する情報は、前記部品の修理／交換作業の対象の部品の名称に関する情報を含む、請求項１に記載の医用システム。
【請求項４】
前記医用データは、前記医用画像診断装置で取得された生データと、前記生データに基づき再構成される医用画像データとの少なくとも一方である、請求項１に記載の医用システム。
【請求項５】
前記第１の時間は、前記記憶部から前記医用画像診断装置の外部の記憶装置への前記医用データのバックアップに要する時間を含む、請求項１に記載の医用システム。
【請求項６】
前記取得部は、前記医用データのバックアップ速度をさらに取得し、
前記算出部は、前記データ量及び前記バックアップ速度に基づいて前記バックアップに要する時間を算出する、
請求項５に記載の医用システム。
【請求項７】
前記第１の時間は、前記外部の記憶装置から前記記憶部への前記生成されたバックアップデータのリストアに要する時間をさらに含む、請求項５に記載の医用システム。
【請求項８】
前記取得部は、前記生成されたバックアップデータのリストア速度をさらに取得し、
前記算出部は、前記データ量及び前記リストア速度に基づいて前記リストアに要する時間を算出する、
請求項７に記載の医用システム。
【請求項９】
前記取得部は、前記医用データのデータ数に関する情報をさらに取得し、
前記算出部は、前記データ数にさらに基づいて前記第１の時間を算出する、
請求項１に記載の医用システム。
【請求項１０】
前記記憶部は、前記コンソール装置の不具合に関する故障情報と、前記部品の修理／交換作業に含まれる作業ごとの基準時間との対応をさらに記憶し、
前記取得部は、故障情報と、前記取得された故障情報に対応する複数の基準時間とを取得し、
前記算出部は、前記取得された複数の基準時間の合計時間を前記第２の時間として決定する、
請求項２に記載の医用システム。
【請求項１１】
前記基準時間は、前記故障情報と、前記コンソール装置の設置場所と、前記部品の修理／交換作業の作業者とのうち少なくとも１つが共通する過去に実施された複数の部品の修理／交換作業で要した複数の時間に基づいて決定される、請求項１０に記載の医用システム。
【請求項１２】
前記通知情報は、前記部品の修理／交換作業に関する情報の表示と、前記第１の時間の表示とを含む画像である、請求項１に記載の医用システム。
【請求項１３】
前記部品の修理／交換作業に関する情報の表示は、前記部品の修理／交換作業に要する第２の時間の表示と、前記部品の修理／交換作業の対象の部品の名称に関する情報の表示と、前記コンソール装置の状態に関する情報の表示とのうち、少なくとも１つの表示であり、
前記第１の時間の表示は、前記記憶部から前記医用画像診断装置の外部の記憶装置への前記医用データのバックアップに要する時間の表示と、前記外部の記憶装置から前記記憶部への前記生成されたバックアップデータのリストアに要する時間の表示と、前記バックアップ及び前記リストアに要する合計時間の表示とのうち、少なくとも１つの表示である、
請求項１２に記載の医用システム。
【請求項１４】
前記通知情報は、前記第２の時間及び前記第１の時間の合計時間の表示を含む画像である、請求項２に記載の医用システム。
【請求項１５】
コンソール装置に設けられ、医用データを記憶する記憶部と、
前記コンソール装置に含まれる部品の修理／交換作業とともに実施される附帯作業においてバックアップデータが生成される前記医用データのデータ量を取得する取得部と、
前記データ量に基づいて前記附帯作業に要する第１の時間を算出する算出部と、
前記部品の修理／交換作業に関する情報と、前記第１の時間とを含む通知情報を生成する生成部と
を具備する医用画像診断装置。
【請求項１６】
前記部品の修理／交換作業に要する時間と、前記附帯作業に含まれるバックアップに要する時間との合計時間を最短の復旧時間として表示する表示部をさらに備える、請求項１５に記載の医用画像診断装置。
【請求項１７】
直接又は間接的に医用画像診断装置に接続される端末装置であって、
前記医用画像診断装置のコンソール装置に含まれる部品の修理／交換作業に関する情報と、前記部品の修理／交換作業とともに実施される附帯作業に要する第１の時間とを含む通知情報を前記医用画像診断装置から受信する受信部と、
前記通知情報を表示する表示部と
を具備する端末装置。
【発明の詳細な説明】
【技術分野】
【０００１】
本発明の実施形態は、医用システム、医用画像診断装置及び端末装置に関する。
【背景技術】
【０００２】
Ｘ線コンピュータ断層撮影装置等の医用画像診断装置において、搭載されている部品の故障を検知する技術が知られている。故障が検知された部品は、専門の作業者により交換されたり、修理されたりする。作業者は、故障が検知された部品に応じて、マニュアルを参照したり、自身の経験に基づいたりして、交換や修理に係る作業時間を算出している。このようにして算出された作業時間は、医用画像診断装置の復旧までにかかる時間の目安であるから、交換や修理に係る作業を計画する作業者に限らず、医用画像診断装置の使用者にとっても有用である。しかしながら、交換や修理に係る作業時間は、医用画像診断装置の使用状況及び設置場所や作業者の熟練度等に応じて変動する。
【先行技術文献】
【特許文献】
【０００３】
【特許文献１】特開２０１８−１０６４７８号公報
【特許文献２】特開２０１７−０４１１５９号公報
【特許文献３】特開２０１１−０８５４７９号公報
【発明の概要】
【発明が解決しようとする課題】
【０００４】
発明が解決しようとする課題は、医用画像診断装置のコンソールの修理作業に関して、適切な作業時間を提示することである。
【課題を解決するための手段】
【０００５】
実施形態に係る医用システムは、記憶部と、取得部と、算出部と、表示部とを含む。記憶部は、医用画像診断装置のコンソール装置に設けられ、医用データを記憶する。取得部は、前記コンソール装置に含まれる部品の修理／交換作業とともに実施される附帯作業においてバックアップデータが生成される前記医用データのデータ量を取得する。算出部は、前記データ量に基づいて前記附帯作業に要する第１の時間を算出する。表示部は、前記部品の修理／交換作業に関する情報と、前記第１の時間とを含む通知情報を表示する。
【図面の簡単な説明】
【０００６】
【図１】図１は、実施形態に係るＸ線コンピュータ断層撮影装置の構成の一例を示す図である。
【図２】図２は、図１のＸ線コンピュータ断層撮影装置を含む医用システムの構成の一例を示す図である。
【図３】図３は、図２の医用システムで実施される通知情報の生成及び提示に係る処理の一例を示すフローチャートである。
【図４】図４は、図３の通知情報の生成及び提示に係る処理において作業者に通知される通知画像の一例を示す模式図である。
【図５】図５は、図２の医用システムで実施される通知情報の生成及び提示に係る処理の別の一例を示すフローチャートである。
【図６】図６は、図５の通知情報の生成及び提示に係る処理において作業者に通知される通知画像の一例を示す模式図である。
【図７】図７は、図２の医用システムで使用者に提示される通知画像の一例を示す模式図である。
【発明を実施するための形態】
【０００７】
［第１の実施形態］
以下、図面を参照しながら本実施形態に係る医用システム、医用画像診断装置及び端末装置を説明する。なお、以下の説明において、既出の図に関して前述したものと同一又は略同一の機能を有する構成要素については、同一符号を付し、必要な場合にのみ重複説明する。また、同じ部分を表す場合であっても、図面により互いの寸法や比率が異なって表されている場合もある。
【０００８】
本実施形態に係る医用システムは、医用画像診断装置及び端末装置を含む。本実施形態に係る医用システムでは、医用画像診断装置の有するコンソールに部品故障等の不具合が生じたとき、医用画像診断装置の使用者とは異なる専門の作業者により、当該コンソールの修理作業が行われるとする。コンソールの修理作業は、部品の修理／交換作業と、その附帯作業とを含む。ここで、部品の修理／交換作業は、不具合が生じたコンソールの部品に関する修理作業及び／又は交換作業であるとする。部品の修理／交換作業は、修理作業や交換作業後に行われる再セットアップや動作確認に係る作業を含む。部品の修理／交換作業は、主体作業と表現されてもよい。また、附帯作業は、部品の修理／交換作業とともに実施される作業である。例えば、附帯作業には、不具合が生じたコンソール内に記憶されている医用データのバックアップが含まれる。医用データのバックアップは、部品の修理／交換作業に先立って行われる。ここで、医用データは、医用画像診断装置で取得された生データと、当該生データに基づき再構成される医用画像データとの少なくとも一方であるとする。
【０００９】
本実施形態に係る医用画像診断装置は、Ｘ線コンピュータ断層撮影装置やＸ線診断装置、核医学診断装置に適用可能である。以下、本実施形態に係る医用画像診断装置は、Ｘ線コンピュータ断層撮影装置であるとする。
【００１０】
Ｘ線コンピュータ断層撮影装置（ＣＴ装置）には、第３世代ＣＴ、第４世代ＣＴ等様々なタイプがあり、いずれのタイプでも本実施形態へ適用可能である。ここで、第３世代ＣＴは、Ｘ線管と検出器とが一体として被検体の周囲を回転するＲｏｔａｔｅ／Ｒｏｔａｔｅ−Ｔｙｐｅである。第４世代ＣＴは、リング状にアレイされた多数のＸ線検出素子が固定され、Ｘ線管のみが被検体の周囲を回転するＳｔａｔｉｏｎａｒｙ／Ｒｏｔａｔｅ−Ｔｙｐｅである。
【００１１】
図１は、本実施形態に係るＸ線コンピュータ断層撮影装置１の構成の一例を示す図である。Ｘ線コンピュータ断層撮影装置１は、Ｘ線管１１から被検体Ｐに対してＸ線を照射し、照射されたＸ線をＸ線検出器１２で検出する。Ｘ線コンピュータ断層撮影装置１は、Ｘ線検出器１２からの出力に基づいて被検体Ｐに関するＣＴ画像を生成する。
【００１２】
図１に示すように、Ｘ線コンピュータ断層撮影装置１は、架台１０、寝台３０及びコンソール４０を有する。なお、図１では説明の都合上、架台１０が複数描画されている。架台１０は、被検体ＰをＸ線ＣＴ撮影するための構成を有するスキャン装置である。寝台３０は、Ｘ線ＣＴ撮影の対象となる被検体Ｐを載置し、被検体Ｐを位置決めするための搬送装置である。コンソール４０は、架台１０を制御するコンピュータである。例えば、架台１０及び寝台３０はＣＴ検査室に設置され、コンソール４０はＣＴ検査室に隣接する制御室に設置される。架台１０、寝台３０及びコンソール４０は互いに通信可能に有線または無線で接続されている。なお、コンソール４０は、必ずしも制御室に設置されなくてもよい。例えば、コンソール４０は、架台１０及び寝台３０とともに同一の部屋に設置されてもよい。また、コンソール４０が架台１０に組み込まれてもよい。コンソール４０は、コンソール装置の一例である。
【００１３】
図１に示すように、架台１０は、Ｘ線管１１、Ｘ線検出器１２、回転フレーム１３、Ｘ線高電圧装置１４、制御装置１５、ウェッジ１６、コリメータ１７及びデータ収集回路（Data Acquisition System：ＤＡＳ）１８を有する。
【００１４】
Ｘ線管１１は、Ｘ線を被検体Ｐに照射する。具体的には、Ｘ線管１１は、熱電子を発生する陰極と、陰極から飛翔する熱電子を受けてＸ線を発生する陽極と、陰極と陽極とを保持する真空管とを含む。Ｘ線管１１は、高圧ケーブルを介してＸ線高電圧装置１４に接続されている。陰極と陽極との間には、Ｘ線高電圧装置１４により管電圧が印加される。管電圧の印加により陰極から陽極に向けて熱電子が飛翔する。陰極から陽極に向けて熱電子が飛翔することにより管電流が流れる。Ｘ線高電圧装置１４からの高電圧の印加及びフィラメント電流の供給により、陰極（フィラメント）から陽極（ターゲット）に向けて熱電子が飛翔し、熱電子が陽極に衝突することによりＸ線が発生される。例えば、Ｘ線管１１には、回転する陽極に熱電子を照射することでＸ線を発生させる回転陽極型のＸ線管がある。
【００１５】
なお、Ｘ線を発生させるハードウェアはＸ線管１１に限らない。例えば、Ｘ線管１１に代えて、第５世代方式を用いてＸ線を発生させることにしても構わない。第５世代方式は、電子銃から発生した電子ビームを集束させるフォーカスコイルと、電磁偏向させる偏向コイルと、被検体Ｐの半周を囲い偏向した電子ビームが衝突することによってＸ線を発生させるターゲットリングとを含む。
【００１６】
Ｘ線検出器１２は、Ｘ線管１１から照射され被検体Ｐを通過したＸ線を検出し、検出されたＸ線の線量に対応した電気信号をデータ収集回路１８に出力する。Ｘ線検出器１２は、チャンネル方向に複数のＸ線検出素子が配列されたＸ線検出素子列がスライス方向（列方向）に複数配列された構造を有する。Ｘ線検出器１２は、例えば、グリッド、シンチレータアレイ及び光センサアレイを有する間接変換型の検出器である。シンチレータアレイは、複数のシンチレータを有する。シンチレータは、入射Ｘ線量に応じた光量の光を出力する。グリッドは、シンチレータアレイのＸ線入射面側に配置され、散乱Ｘ線を吸収するＸ線遮蔽板を有する。なお、グリッドは、コリメータ（１次元コリメータ又は２次元コリメータ）と呼ばれる場合もある。光センサアレイは、シンチレータからの光の光量に応じた電気信号に変換する。光センサとしては、例えば、フォトダイオードが用いられる。なお、Ｘ線検出器１２は、直接変換型の検出器であってもよい。
【００１７】
回転フレーム１３は、Ｘ線管１１とＸ線検出器１２とを回転軸（Ｚ軸）回りに回転可能に支持する円環状のフレームである。具体的には、回転フレーム１３は、Ｘ線管１１とＸ線検出器１２とを対向支持する。回転フレーム１３は、固定フレーム（図示せず）に回転軸回りに回転可能に支持される。制御装置１５により回転フレーム１３が回転軸回りに回転することによりＸ線管１１とＸ線検出器１２とを回転軸回りに回転させる。回転フレーム１３は、制御装置１５の駆動機構からの動力を受けて回転軸回りに一定の角速度で回転する。回転フレーム１３の開口部１９には、画像視野（ＦＯＶ）が設定される。
【００１８】
なお、本実施形態では、非チルト状態での回転フレーム１３の回転軸又は寝台３０の天板３３の長手方向をＺ軸方向、Ｚ軸方向に直交し床面に対し水平である軸方向をＸ軸方向、Ｚ軸方向に直交し床面に対し垂直である軸方向をＹ軸方向と定義する。
【００１９】
Ｘ線高電圧装置１４は、高電圧発生装置及びＸ線制御装置を有する。高電圧発生装置は、変圧器（トランス）及び整流器等の電気回路を有し、Ｘ線管１１に印加する高電圧及びＸ線管１１に供給するフィラメント電流を発生する。Ｘ線制御装置は、Ｘ線管１１が照射するＸ線に応じた出力電圧の制御を行う。高電圧発生装置は、変圧器方式であってもよいし、インバータ方式であっても構わない。Ｘ線高電圧装置１４は、架台１０内の回転フレーム１３に設けられてもよいし、架台１０内の固定フレーム（図示しない）に設けられても構わない。
【００２０】
ウェッジ１６は、被検体Ｐに照射されるＸ線の線量を調節する。具体的には、ウェッジ１６は、Ｘ線管１１から被検体Ｐへ照射されるＸ線の線量が予め定められた分布になるようにＸ線を減衰する。例えば、ウェッジ１６としては、ウェッジフィルタ（wedge filter）やボウタイフィルタ（bow-tie filter）等のアルミニウム等の金属板が用いられる。
【００２１】
コリメータ１７は、ウェッジ１６を透過したＸ線の照射範囲を限定する。コリメータ１７は、Ｘ線を遮蔽する複数の鉛板をスライド可能に支持し、複数の鉛板により形成されるスリットの形態を調節する。なお、コリメータ１７は、Ｘ線絞りと呼ばれる場合もある。
【００２２】
データ収集回路１８は、Ｘ線検出器１２により検出されたＸ線の線量に応じた電気信号をＸ線検出器１２から読み出す。データ収集回路１８は、読み出した電気信号を増幅し、ビュー期間に亘り電気信号を積分することにより当該ビュー期間に亘るＸ線の線量に応じたデジタル値を有する検出データを収集する。検出データは、投影データと呼ばれる。データ収集回路１８は、例えば、投影データを生成可能な回路素子を搭載した特定用途向け集積回路（Application Specific Integrated Circuit：ＡＳＩＣ）により実現される。投影データは、非接触データ伝送装置等を介してコンソール４０に伝送される。
【００２３】
なお、本実施形態では、積分型のＸ線検出器１２及び積分型のＸ線検出器１２が搭載されたＸ線コンピュータ断層撮影装置１を例として説明するが、本実施形態に係る技術は、光子計数型のＸ線検出器又は光子計数型のＸ線検出器が搭載されたＸ線コンピュータ断層撮影装置であっても適用可能である。
【００２４】
制御装置１５は、コンソール４０の処理回路４４のシステム制御機能４４１に従いＸ線ＣＴ撮影を実行するためにＸ線高電圧装置１４やデータ収集回路１８を制御する。制御装置１５は、Central Processing Unit（ＣＰＵ）あるいはMicro Processing Unit（ＭＰＵ）等を有する処理回路と、モータ及びアクチュエータ等の駆動機構とを有する。処理回路は、ハードウェア資源として、ＣＰＵ等のプロセッサとRead Only Memory（ＲＯＭ）やRandom Access Memory（ＲＡＭ）等のメモリとを有する。また、制御装置１５は、ＡＳＩＣやフィールド・プログラマブル・ゲート・アレイ（Field Programmable Gate Array：ＦＰＧＡ）により実現されてもよい。また、制御装置１５は、他の複合プログラマブル論理デバイス（Complex Programmable Logic Device：ＣＰＬＤ）又は単純プログラマブル論理デバイス（Simple Programmable Logic Device：ＳＰＬＤ）により実現されてもよい。制御装置１５は、コンソール４０若しくは架台１０に取り付けられた、後述する入力インターフェース４３１からの入力信号を受けて、架台１０及び寝台３０の動作制御を行う機能を有する。例えば、制御装置１５は、入力信号を受けて回転フレーム１３を回転させる制御や、架台１０をチルトさせる制御、及び寝台３０及び天板３３を動作させる制御を行う。なお、架台１０をチルトさせる制御は、架台１０に取り付けられた入力インターフェースによって入力される傾斜角度（チルト角度）情報により、制御装置１５がＸ軸方向に平行な軸を中心に回転フレーム１３を回転させることによって実現される。なお、制御装置１５は架台１０に設けられてもよいし、コンソール４０に設けられても構わない。
【００２５】
寝台３０は、基台３１、支持フレーム３２、天板３３及び寝台駆動装置３４を備える。基台３１は、床面に設置される。基台３１は、支持フレーム３２を、床面に対して垂直方向（Ｙ軸方向）に移動可能に支持する筐体である。支持フレーム３２は、基台３１の上部に設けられるフレームである。支持フレーム３２は、天板３３を回転軸（Ｚ軸）に沿ってスライド可能に支持する。天板３３は、被検体Ｐが載置される柔軟性を有する板である。
【００２６】
寝台駆動装置３４は、寝台３０の筐体内に収容される。寝台駆動装置３４は、被検体Ｐが載置された支持フレーム３２と天板３３とを移動させるための動力を発生するモータ又はアクチュエータである。寝台駆動装置３４は、コンソール４０等による制御に従い作動する。
【００２７】
コンソール４０は、メモリ４１、ディスプレイ４２、入出力インターフェース及び処理回路４４を有する。入出力インターフェースは、入力インターフェース４３１及び接続インターフェース４３２を有する。メモリ４１とディスプレイ４２と入力インターフェース４３１と接続インターフェース４３２と処理回路４４との間のデータ通信は、バス（BUS）を介して行われる。なお、コンソール４０は架台１０とは別体として説明するが、架台１０にコンソール４０又はコンソール４０の各構成要素の一部が含まれてもよい。
【００２８】
メモリ４１は、種々の情報を記憶するHard Disk Drive（ＨＤＤ）やSolid State Drive（ＳＳＤ）、集積回路記憶装置等の記憶装置である。メモリ４１は、ＨＤＤやＳＳＤ等以外にも、Compact Disc（ＣＤ）、Digital Versatile Disc（ＤＶＤ）、Blu-ray（登録商標） Disc（ＢＤ）、フラッシュメモリ等の可搬性記憶媒体であってもよい。メモリ４１は、フラッシュメモリ、ＲＡＭ等の半導体メモリ素子等との間で種々の情報を読み書きする駆動装置であってもよい。また、メモリ４１の保存領域は、Ｘ線コンピュータ断層撮影装置１内にあってもよいし、ネットワークで接続された外部記憶装置内にあってもよい。メモリ４１は、例えば、投影データや再構成画像データを記憶する。また、メモリ４１は、メモリ４１には、後述する故障情報と作業時間との対応が記憶されている。メモリ４１は、記憶部の一例である。
【００２９】
ディスプレイ４２は、各種の情報を表示する。例えば、ディスプレイ４２は、処理回路４４によって生成された医用画像（ＣＴ画像）や、操作者からの各種操作を受け付けるためのＧＵＩ（Graphical User Interface）等を出力する。ディスプレイ４２としては、種々の任意のディスプレイが、適宜、使用可能となっている。例えばディスプレイ４２として、液晶ディスプレイ（Liquid Crystal Display：ＬＣＤ）、Cathode Ray Tube（ＣＲＴ）ディスプレイ、有機ＥＬディスプレイ（Organic Electro Luminescence Display：ＯＥＬＤ）又はプラズマディスプレイが使用可能である。
【００３０】
なお、ディスプレイ４２は、制御室の如何なる場所に設けられてもよい。また、ディスプレイ４２は、架台１０に設けられてもよい。また、ディスプレイ４２は、デスクトップ型でもよいし、コンソール４０の本体と無線通信可能なタブレット端末等で構成されることにしても構わない。また、ディスプレイ４２として、１又は２以上のプロジェクタが用いられてもよい。
【００３１】
入力インターフェース４３１は、操作者からの各種の入力操作を受け付け、受け付けた入力操作を電気信号に変換して処理回路４４に出力する。例えば、入力インターフェース４３１は、投影データを収集する際の収集条件や、ＣＴ画像を画像再構成する際の再構成条件、ＣＴ画像から後処理画像を生成する際の画像処理条件等を操作者から受け付ける。入力インターフェース４３１としては、例えば、マウス、キーボード、トラックボール、スイッチ、ボタン、ジョイスティック、タッチパッド及びタッチパネルディスプレイ等が適宜、使用可能となっている。なお、本実施形態において、入力インターフェース４３１は、マウス、キーボード、トラックボール、スイッチ、ボタン、ジョイスティック、タッチパッド及びタッチパネルディスプレイ等の物理的な操作部品を備えるものに限られない。例えば、装置とは別体に設けられた外部の入力機器から入力操作に対応する電気信号を受け取り、この電気信号を処理回路４４へ出力する電気信号の処理回路も入力インターフェース４３１の例に含まれる。また、入力インターフェース４３１は、架台１０に設けられてもよい。また、入力インターフェース４３１は、コンソール４０の本体と無線通信可能なタブレット端末等で構成されることにしても構わない。
【００３２】
接続インターフェース４３２は、コンソール４０がＸ線コンピュータ断層撮影装置１の外部と通信するための通信回路を有する。コンソール４０とＸ線コンピュータ断層撮影装置１の外部との間の通信は、例えば有線によって行われるが、無線によって行われてもよい。このため、通信回路は、有線通信に対応した通信回路であってもよいし、例えば、Ｗｉ−Ｆｉ（登録商標）通信等の無線通信に対応した通信回路であってもよい。コンソール４０は、接続インターフェース４３２を介して、イントラネットやインターネット等の電気通信回線と接続される。また、コンソール４０は、接続インターフェース４３２を介して、ＨＤＤやＳＳＤ、ＣＤやＤＶＤ、ＢＤ、半導体メモリ素子等との間で種々の情報を読み書きする駆動装置等の外部記憶装置と接続される。
【００３３】
処理回路４４は、入力インターフェース４３１から出力される入力操作の電気信号に応じてＸ線コンピュータ断層撮影装置１全体の動作を制御する。処理回路４４は、Ｘ線検出器１２から出力された電気信号に基づいて画像データを生成する。処理回路４４は、コンソール４０の修理作業に関する通知情報の生成に関するプログラム（以下、通知情報生成プログラムと呼ぶ）を実行して、通知情報を生成する。通知情報は、例えばコンソール４０の修理作業に係る各種の時間の表示を含む通知画像データである。処理回路４４は、ハードウェア資源として、例えば、ＣＰＵやＭＰＵ、Graphics Processing Unit（ＧＰＵ）等のプロセッサとＲＯＭやＲＡＭ等のメモリとを有する。処理回路４４は、メモリに展開されたプログラムを実行するプロセッサにより、システム制御機能４４１、再構成処理機能４４２、画像処理機能４４３、表示制御機能４４４、故障情報取得機能４４５、転送情報取得機能４４６、作業時間算出機能４４７、通知画像生成機能４４８等を実行する。
【００３４】
システム制御機能４４１において処理回路４４は、Ｘ線ＣＴ撮影を行うためＸ線高電圧装置１４と制御装置１５とデータ収集回路１８とを制御する。また、処理回路４４は、Ｘ線コンピュータ断層撮影装置１と後述するネットワーク３との間の接続インターフェース４３２を介した通信を制御する。例えば、処理回路４４は、通知画像生成機能４４８で生成された通知画像（通知情報）を、接続インターフェース４３２を介してネットワーク３へ出力する。
【００３５】
再構成処理機能４４２において処理回路４４は、データ収集回路１８から出力された投影データに対して対数変換処理やオフセット補正処理、チャンネル間の感度補正処理、ビームハードニング補正等の前処理を施す。また、処理回路４４は、前処理後の投影データに対して、フィルタ補正逆投影法や逐次近似再構成法等を用いた再構成処理を行い、ＣＴ画像データを生成する。つまり、再構成処理機能４４２は、前処理及び再構成処理により画像データを生成する画像生成機能であるとも表現できる。
【００３６】
画像処理機能４４３において処理回路４４は、再構成処理機能４４２によって生成されたＣＴ画像データを、任意断面の断面画像データや任意視点方向のレンダリング画像データに変換する。変換は、入力インターフェース４３１を介して操作者から受け付けた入力操作に基づいて行われる。例えば、処理回路４４は、当該ＣＴ画像データにボリュームレンダリングや、サーフェスボリュームレンダリング、画像値投影処理、Multi-Planer Reconstruction（ＭＰＲ）処理、Curved MPR（ＣＰＲ）処理等の３次元画像処理を施して、任意視点方向のレンダリング画像データを生成する。なお、任意視点方向のレンダリング画像データの生成は再構成処理機能４４２が直接行っても構わない。
【００３７】
表示制御機能４４４において処理回路４４は、画像処理機能４４３により生成された各種画像データに基づいて、画像をディスプレイ４２に表示させる。ディスプレイ４２に表示させる画像は、ＣＴ画像データに基づくＣＴ画像、任意断面の断面画像データに基づく断面画像、任意視点方向のレンダリング画像データに基づく任意視点方向のレンダリング画像等を含む。ディスプレイ４２に表示させる画像は、操作画面を表示するための画像を含む。
【００３８】
本実施形態に係る処理回路４４は、通知情報生成プログラムにより、故障情報取得機能４４５、転送情報取得機能４４６、作業時間算出機能４４７及び通知画像生成機能４４８を実行する。
【００３９】
故障情報取得機能４４５において処理回路４４は、故障情報を取得する。故障情報は、例えばメモリ４１に記憶されている。故障情報は、コンソール４０の不具合に関する情報である。故障情報は、Ｘ線コンピュータ断層撮影装置１の使用者により入力されたり、故障検知プログラムを実行する処理回路４４により検知されたりして、例えばメモリ４１に記憶されているとする。故障情報には、例えば、修理／交換作業の対象の部品を特定するための情報や部品の修理／交換作業として実施される作業を特定するための情報が含まれる。故障情報取得機能４４５を実現する処理回路４４は、取得部の一例である。
【００４０】
転送情報取得機能４４６において処理回路４４は、転送情報を取得する。転送情報は、メモリ４１に記憶されている医用データのバックアップに関する情報である。転送情報には、メモリ４１とバックアップ先との間のデータ転送速度やメモリ４１に記憶されている医用データのデータ量が含まれる。転送情報取得機能４４６を実現する処理回路４４は、取得部の一例である。
【００４１】
作業時間算出機能４４７において処理回路４４は、メモリ４１に記憶されている医用データのデータ量とデータ転送速度とに基づいて、データ転送時間を算出する。また、処理回路４４は、故障情報に基づいて、修理／交換作業に要する時間を算出する。処理回路４４は、データ転送時間及び修理／交換作業に要する時間の合計時間を、コンソール４０の修理作業に要する時間（作業時間）として算出する。作業時間算出機能４４７を実現する処理回路４４は、算出部の一例である。
【００４２】
通知画像生成機能４４８は、通知画像を生成する。通知画像は、算出された作業時間等を含む通知情報を作業者に提示するための画像データである。つまり、通知画像生成機能４４８は、通知情報生成機能であると表現されてもよい。通知画像生成機能４４８を実現する処理回路４４は、生成部の一例である。また、通知画像は、通知情報の一例である。
【００４３】
なお、処理回路４４は、ＡＳＩＣにより実現されてもよいし、ＦＰＧＡやＣＰＬＤ、ＳＰＬＤ等のプログラマブル論理デバイス（Programmable Logic Device：ＰＬＤ）により実現されてもよい。
【００４４】
なお、各機能４４１〜４４８は単一の処理回路で実現される場合に限らない。複数の独立したプロセッサを組み合わせて処理回路を構成し、各プロセッサがプログラムを実行することにより各機能４４１〜４４８を実現するものとしても構わない。
【００４５】
例えば、Ｘ線コンピュータ断層撮影装置１は、システム制御機能４４１、再構成処理機能４４２、画像処理機能４４３及び表示制御機能４４４を実行するプロセッサと、故障情報取得機能４４５、転送情報取得機能４４６、作業時間算出機能４４７及び通知画像生成機能４４８を実行するサービスプロセッサとを備えていてもよい。
【００４６】
なお、コンソール４０は、単一のコンソールにて複数の機能を実行するものとして説明したが、複数の機能を別々のコンソールが実行することにしても構わない。例えば、複数の機能のうち、再構成処理機能４４２が、他の機能４４１、４４３〜４４８とは異なるコンソールで実行されてもよい。また、例えば、システム制御機能４４１、再構成処理機能４４２、画像処理機能４４３及び表示制御機能４４４を実現するプロセッサと、故障情報取得機能４４５、転送情報取得機能４４６、作業時間算出機能４４７及び通知画像生成機能４４８を実現するプロセッサとは、互いに異なるコンソールに実装されていてもよい。
【００４７】
なお、処理回路４４は、コンソール４０に含まれる場合に限らず、複数の医用画像診断装置により取得された医用データに対する処理を一括して行う統合サーバに含まれてもよい。
【００４８】
なお、後処理は、コンソール４０又は外部のワークステーションのどちらで実施することにしても構わない。また、コンソール４０とワークステーションの両方で同時に処理することにしても構わない。
【００４９】
なお、本実施形態に係る技術は、一管球型のＸ線コンピュータ断層撮影装置にも、Ｘ線管と検出器との複数のペアを回転リングに搭載した、いわゆる多管球型のＸ線コンピュータ断層撮影装置にも適用可能である。
【００５０】
図２は、図１のＸ線コンピュータ断層撮影装置１を含む医用システム９の構成の一例を示す図である。図２に示すように、本実施形態に係る医用システム９は、互いにネットワーク３を介して接続されたＸ線コンピュータ断層撮影装置１、保存サーバ２、サービスセンタ端末５及び作業者端末７を含む。ネットワーク３は、イントラネットやインターネット等の電気通信回線である。ここで、Ｘ線コンピュータ断層撮影装置１は、医用画像診断装置の一例である。また、サービスセンタ端末５及び／又は作業者端末７は、端末装置の一例である。
【００５１】
保存サーバ２は、Ｘ線コンピュータ断層撮影装置１等の医用画像診断装置において取得された医用データを記憶する。保存サーバ２は、本実施形態に係る故障部品の交換・修理に関する作業における医用データのバックアップ先である。保存サーバ２は、ネットワーク３を介してＸ線コンピュータ断層撮影装置１と接続される。保存サーバ２は、種々の情報を記憶するHard Disk Drive（ＨＤＤ）やSolid State Drive（ＳＳＤ）、集積回路記憶装置等の記憶装置を有する。記憶装置は、ＨＤＤやＳＳＤ等以外にも、Compact Disc（ＣＤ）、Digital Versatile Disc（ＤＶＤ）、Blu-ray（登録商標） Disc（ＢＤ）、フラッシュメモリ等の可搬性記憶媒体との間で種々の情報を読み書きする駆動装置であってもよい。
【００５２】
サービスセンタ端末５は、例えばサービスセンタサイトに設置されるパーソナルコンピュータ（ＰＣ）である。サービスセンタサイトは、Ｘ線コンピュータ断層撮影装置１に対する保守、交換、修理等の各種サービスをＸ線コンピュータ断層撮影装置１のユーザへ提供する。サービスセンタ端末５は、例えば、図示しないメモリ、ディスプレイ、入出力インターフェース及び処理回路を有する。処理回路は、メモリに展開されたプログラムにより、サービスセンタ端末５の入出力インターフェースの出力に応じて、各種サービスのために使用する部品の調達や在庫管理、搬送等の管理、作業員（サービスパーソン、サービスマン）の派遣やリモートメンテナンス要員のスケジューリングを始め保守、交換、修理等の実際の作業に係る管理を実行する。
【００５３】
作業者端末７は、例えば作業者が携帯するタブレットＰＣやスマートフォン等の可搬型の情報処理端末である。作業者端末７は、端末装置の一例である。作業者端末７は、デスクトップ型のＰＣ等の情報処理端末であってもよい。図２に示すように、作業者端末７は、メモリ７１、ディスプレイ７２、入出力インターフェース７３及び処理回路７４を有する。
【００５４】
メモリ７１は、種々の情報を記憶するＨＤＤやＳＳＤ、集積回路記憶装置等の記憶装置である。メモリ７１は、ＣＤやＤＶＤ、フラッシュメモリ等の可搬性記憶媒体であってもよいし、フラッシュメモリ、ＲＡＭ等の半導体メモリ素子等との間で種々の情報を読み書きする駆動装置であってもよい。また、メモリ７１の保存領域は、サービスセンタ端末５内にあってもよいし、ネットワークで接続された外部記憶装置内にあってもよい。
【００５５】
ディスプレイ７２は、操作者からの各種操作を受け付けるためのＧＵＩを含む各種の情報を表示する。ディスプレイ７２としては、ＬＣＤやＣＲＴディスプレイ、ＯＥＬＤ、プラズマディスプレイ等が使用可能である。また、ディスプレイ７２は、デスクトップ型でもよいし、デスクトップ型の作業者端末の本体と無線通信可能なタブレット端末等で構成されることにしても構わない。また、ディスプレイとして、１又は２以上のプロジェクタが用いられてもよい。ディスプレイ７２は、表示部の一例である。
【００５６】
入出力インターフェース７３は、入力インターフェース及び接続インターフェースを有する。入力インターフェースは、作業者からの各種の入力操作を受け付け、受け付けた入力操作を電気信号に変換して処理回路７４に出力する。入力インターフェースとしては、例えば、スイッチ、ボタン及びタッチパネルディスプレイ等が適宜、使用可能となっている。接続インターフェースは、作業者端末７がネットワーク３と通信するための通信回路を有する。作業者端末７とネットワーク３との間の通信は、例えば無線によって行われるが、有線によって行われてもよい。このため、通信回路は、Ｗｉ−Ｆｉ（登録商標）通信やＢｌｕｅｔｏｏｔｈ（登録商標）通信等の無線通信に対応した通信回路であってもよいし、有線通信に対応した通信回路であってもよい。入出力インターフェース７３の接続インターフェースは、受信部の一例である。
【００５７】
なお、入出力インターフェース７３の入力インターフェースとして、マウス、キーボード、トラックボール、ジョイスティック及びタッチパッド等の他の物理的な操作部品が用いられてもよい。なお、本実施形態において、入力インターフェースは、物理的な操作部品を備えるものに限られない。例えば、装置とは別体に設けられた外部の入力機器から入力操作に対応する電気信号を受け取り、この電気信号を処理回路７４へ出力する電気信号の処理回路も入力インターフェースの例に含まれる。また、入出力インターフェース７３は、作業者端末７の本体と無線通信可能なタブレット端末等で構成されることにしても構わない。
【００５８】
処理回路７４は、メモリに展開されたプログラムにより、Ｘ線コンピュータ断層撮影装置１やサービスセンタ端末５からネットワーク３を介して受信した通知画像（通知情報）を作業者に表示（提示）する。処理回路７４は、ハードウェア資源として、例えば、ＣＰＵやＭＰＵ等のプロセッサと、ＲＯＭやＲＡＭ等のメモリとを有する。なお、処理回路７４は、ＡＳＩＣで実現されてもよいし、ＦＰＧＡやＣＰＬＤ、ＳＰＬＤ等のＰＬＤにより実現されてもよい。また、処理回路７４は、単一のプロセッサで構成されてもよいし、複数の独立したプロセッサを組み合わせて構成されてもよい。
【００５９】
次に、本実施形態に係る医用システム９において、Ｘ線コンピュータ断層撮影装置１のコンソール４０に関して故障等の不具合が生じたときの各部の動作例について、図面を参照して説明する。図３は、図２の医用システム９で実施される通知情報の生成及び提示に係る処理の一例を示すフローチャートである。
【００６０】
図３に示す処理は、コンソール４０の不具合が検知された後に開始されるとする。コンソール４０の不具合に関する故障情報は、Ｘ線コンピュータ断層撮影装置１の使用者により入力されたり、故障検知プログラムを実行する処理回路４４により検知されたりして、例えばメモリ４１に記憶されているとする。故障情報には、例えば、修理／交換作業の対象の部品を特定するための情報や部品の修理／交換作業として実施される作業を特定するための情報が含まれる。
【００６１】
本実施形態に係るコンソール４０の修理作業は、図３に示す処理が終了した後に、専門の作業者が、Ｘ線コンピュータ断層撮影装置１の設置場所へ訪問することにより実施されるとする。
【００６２】
本実施形態に係るコンソール４０の修理作業は、部品の修理／交換作業と、その附帯作業とを含む。本実施形態に係る部品の修理／交換作業は、不具合が生じたコンソール４０の部品の交換や修理を行う作業である。本実施形態に係る修理／交換作業の対象となる部品は、例えば、コンソール４０に搭載されたメモリ４１を構成する一又は複数のメモリ基板やコンソール４０に搭載された一又は複数のバッテリー等である。本実施形態に係る附帯作業は、メモリ４１に記憶されている医用データのバックアップと、当該バックアップにより生成されたバックアップデータのメモリ４１へのリストアとを含む。なお、リストアは、バックアップ先にバックアップされたデータ（バックアップデータ）を、交換又は修理後のメモリ４１に再び記録する作業である。
【００６３】
本実施形態に係る附帯作業において、メモリ４１に記憶されている医用データに関するバックアップデータは、保存サーバ２へ記憶されるとする。つまり、以下の説明において、保存サーバ２は、バックアップにおける医用データの転送先であり、また、リストアにおける医用データの転送元である。
【００６４】
ステップＳ１０１において、故障情報取得機能４４５を実現する処理回路４４は、例えばメモリ４１から、故障情報を取得する。以下、故障情報により特定された部品の修理／交換作業には、複数の作業が含まれているとして説明を続ける。
【００６５】
ステップＳ１０２において、作業時間算出機能４４７を実現する処理回路４４は、故障情報に基づいて、部品の修理／交換作業に要する時間を決定する。具体的には、処理回路４４は、メモリ４１を参照して、ステップＳ１０１で取得された故障情報に対応する複数の基準時間を取得する。基準時間は、例えば工場での部品の修理／交換作業を基にした標準的な作業時間であるとする。故障情報と複数の基準時間との対応は、予め設定されてメモリ４１に記憶されている。処理回路４４は、取得された複数の基準時間の合計時間を算出する。処理回路４４は、算出された合計時間を部品の修理／交換作業に要する時間として決定する。なお、部品の修理／交換作業として故障情報により特定された作業が１つである場合もあり得る。このようなとき、特定された１つの基準時間が、部品の修理／交換作業に要する時間として決定される。部品の修理／交換作業に要する時間は、第２の時間の一例である。
【００６６】
ステップＳ１０３において、転送情報取得機能４４６を実現する処理回路４４は、バックアップ先との間のデータ転送速度を取得する。具体的には、処理回路４４は、バックアップ先の保存サーバ２との間で通信を確立させる。処理回路４４は、保存サーバ２との間で接続が確立された状態で、データ量あたりの読出速度、通信速度及び書込速度を取得する。ここで、読出速度は、データ転送元から医用データが読み出される速度である。また、通信速度は、転送元から転送先まで医用データが送信される速度である。また、書込速度は、医用データがデータ転送先へ書き込まれる速度である。
【００６７】
データ転送速度は、バックアップ速度及びリストア速度を含む。ここで、バックアップ速度及びリストア速度は、それぞれ、バックアップ及びリストアにおけるデータ転送速度である。例えば、バックアップ時の転送元及びリストア時の転送先は、Ｘ線コンピュータ断層撮影装置１のメモリ４１である。例えば、バックアップ時の転送先及びリストア時の転送元は、保存サーバ２の記憶領域である。処理回路４４は、読出速度、通信速度及び書込速度のうち、最も遅い速度をバックアップ先との間のデータ転送速度として決定する。
【００６８】
ステップＳ１０４において、転送情報取得機能４４６を実現する処理回路４４は、メモリ４１を参照して、バックアップ対象の医用データのデータ量を取得する。
【００６９】
ステップＳ１０５において、作業時間算出機能４４７を実現する処理回路４４は、取得されたデータ量に基づいて附帯作業に要する時間を決定する。具体的には、処理回路４４は、データ量をバックアップ速度及びリストア速度で除することにより、それぞれ、バックアップ及びリストアに要する時間を算出する。処理回路４４は、バックアップ及びリストアに要する時間の合計時間を算出する。処理回路４４は、算出された合計時間を附帯作業に要する時間として決定する。附帯作業に要する時間は、第１の時間の一例である。
【００７０】
ステップＳ１０６において、作業時間算出機能４４７を実現する処理回路４４は、コンソール４０の修理作業に要する時間を算出する。具体的には、処理回路４４は、コンソール４０の修理作業に要する時間として、部品の修理／交換作業と、その附帯作業とに要する合計時間を算出する。つまり、コンソール４０の修理作業に要する時間は、バックアップ、部品の修理／交換作業及びリストアに要する合計時間であると表現できる。
【００７１】
ステップＳ１０７において、通知画像生成機能４４８を実現する処理回路４４は、通知画像Ｉ１０を生成する。ステップＳ１０８において、システム制御機能４４１を実現する処理回路４４は、ネットワーク３を介して作業者端末７へステップＳ１０７で生成された通知画像Ｉ１０を送信する。作業者端末７の処理回路７４は、受信した通知画像Ｉ１０をディスプレイ７２に表示する。
【００７２】
図４は、図３の通知情報の生成及び提示に係る処理において作業者に通知される通知画像Ｉ１０の一例を示す模式図である。図４に示す例では、通知画像Ｉ１０は、設置場所Ｉ１１、修理／交換作業の対象の部品の名称Ｉ１２、バックアップに要する時間Ｉ１３、部品の修理／交換作業に要する時間Ｉ１４、リストアに要する時間Ｉ１５及びコンソール４０の修理作業に要する時間Ｉ１６の表示を含む。ここで、設置場所Ｉ１１、修理／交換作業の対象の部品の名称Ｉ１２及び部品の修理／交換作業に要する時間Ｉ１４は、部品の修理／交換作業に関する情報の一例である。また、バックアップに要する時間Ｉ１３及びリストアに要する時間Ｉ１５は、附帯作業に関する情報の一例である。
【００７３】
その後、コンソール４０の修理作業を実施予定の作業者は、Ｘ線コンピュータ断層撮影装置１の使用者へ作業日時やコンソール４０の修理作業に要する作業時間等を連絡する。
【００７４】
このように、本実施形態に係る医用システム９は、コンソール４０の修理作業を実施する作業者に、Ｘ線コンピュータ断層撮影装置１の状態に応じたコンソール４０の作業時間を提示する。具体的には、本実施形態に係るＸ線コンピュータ断層撮影装置１は、コンソール４０に故障が発生した際に、部品の修理／交換作業に限らず、バックアップ等を含む附帯作業を含めた作業時間を算出する。ここで、附帯作業に要する時間は、バックアップの対象の医用データのデータ量により変動する。つまり、本実施形態に係る技術によれば、Ｘ線コンピュータ断層撮影装置１の状態に応じたコンソール４０の作業時間を算出できる。また、本実施形態に係る作業者端末７は、コンソール４０の修理作業を実施予定の作業者に、算出された作業時間を提示する。つまり、本実施形態に係る技術によれば、Ｘ線コンピュータ断層撮影装置１の状態に応じたコンソール４０の修理作業に要する作業時間を作業者に提示できる。
【００７５】
このように、Ｘ線コンピュータ断層撮影装置１の状態が考慮された作業時間を容易に把握できるため、作業者は、Ｘ線コンピュータ断層撮影装置１の使用者へ、より確度の高い予定の作業時間を通知することができる。同時に、使用者は、確度の高い予定の作業時間を得ることができるため、Ｘ線コンピュータ断層撮影装置１の復旧に合わせた使用計画を作成することができる。
【００７６】
［第２の実施形態］
以下、図面を参照しながら本実施形態に係る医用システム、医用画像装置及び端末装置を説明する。ここでは、主に第１の実施形態との相違点について説明する。なお、以下の説明において、第１の実施形態と同一又は略同一の機能を有する構成要素については、同一符号を付し、必要な場合にのみ重複説明する。
【００７７】
第１の実施形態では、修理／交換作業に要する時間が修理／交換作業に関する情報として作業者に提示される場合を例として説明したが、これに限らない。例えば、部品の修理／交換作業に要する時間は、ユーザにより決定されてもよい。図５は、図２の医用システム９で実施される通知情報の生成及び提示に係る処理の別の一例を示すフローチャートである。
【００７８】
ステップＳ２０１において、故障情報取得機能４４５を実現する処理回路４４は、図３のステップＳ１０１と同様にして、故障情報を取得する。
【００７９】
ステップＳ２０２及びステップＳ２０３において、転送情報取得機能４４６を実現する処理回路４４は、それぞれ図３のステップＳ１０３及びステップＳ１０４と同様にして、バックアップ先との間のデータ転送速度及びバックアップ対象の医用データのデータ量を取得する。
【００８０】
ステップＳ２０４において、作業時間算出機能４４７を実現する処理回路４４は、図３のステップＳ１０５と同様にして、附帯作業に要する時間を決定する。
【００８１】
ステップＳ２０５において、通知画像生成機能４４８を実現する処理回路４４は、図３のステップＳ１０７と同様にして、通知画像Ｉ２０を生成する。ステップＳ２０６において、システム制御機能４４１を実現する処理回路４４は、ステップＳ１０８と同様にして、生成された通知画像Ｉ２０を作業者端末７へ送信する。また、作業者端末７の処理回路７４は、ステップＳ１０８と同様にして、受信した通知画像Ｉ２０をディスプレイ７２に表示する。
【００８２】
図６は、図５の通知情報の生成及び提示に係る処理において作業者に通知される通知画像Ｉ２０の一例を示す模式図である。図６に示す例では、図４に示す例と同様に、通知画像Ｉ２０は、設置場所Ｉ２１、修理／交換作業の対象の部品の名称Ｉ２２、バックアップに要する時間Ｉ２３、リストアに要する時間Ｉ２５の表示を含む。ここで、設置場所Ｉ２１及び修理／交換作業の対象の部品の名称Ｉ２２は、部品の修理／交換作業に関する情報の一例である。また、バックアップに要する時間Ｉ２３及びリストアに要する時間Ｉ２５は、附帯作業に関する情報の一例である。
【００８３】
ステップＳ２０７において、作業者端末７の処理回路７４は、修理／交換作業に要する時間を決定する。作業者は、ステップＳ２０６の表示により把握したコンソール４０の設置場所や修理／交換作業の対象の部品の名称に基づいて、修理／交換作業に要する時間を決定する。このとき、作業者は、図６に示す修理／交換作業のマニュアルを参照するためのボタンＩ２７により、修理／交換作業のマニュアルを参照することができる。修理／交換作業のマニュアルには、例えば、各作業の標準的な作業時間（基準時間）が記載されている。作業者は、自身の経験を踏まえ、修理／交換作業に要する時間を決定する。例えば、作業者は、コンソール４０の設置場所の情報から、十分な作業スペースがないと判断したとき、基準時間より長い修理／交換作業に要する時間を決定する。例えば、作業者は、修理／交換作業の対象の部品の名称の情報から、十分な経験を有する作業であると判断したとき、基準時間より短い修理／交換作業に要する時間を決定する。作業者は、決定した修理／交換作業に要する時間を入力する。作業者端末７の処理回路７４は、入力された修理／交換作業に要する時間を図６に示す修理／交換作業に要する時間の表示欄Ｉ２４に表示する。
【００８４】
ステップＳ２０８において、作業者端末７の処理回路７４は、Ｘ線コンピュータ断層撮影装置１から受信した附帯作業に要する時間と、作業者により入力された修理／交換作業に要する時間とを合算することにより、コンソール４０の修理作業に要する作業時間を算出する。また、作業者端末７の処理回路７４は、算出された作業時間を図６に示す作業時間の表示欄Ｉ２６に表示する。その後、作業者は、Ｘ線コンピュータ断層撮影装置１の使用者へ作業日時やコンソール４０の修理作業に要する作業時間等を連絡する。
【００８５】
このように、本実施形態に係る医用システム９では、作業者により修理／交換作業に要する時間が入力される。この構成であっても、上述の実施形態と同様の効果が得られる。
【００８６】
なお、図４に示す例では、部品の修理／交換作業に関する情報として、設置場所Ｉ１１、修理／交換作業の対象の部品の名称Ｉ１２及び部品の修理／交換作業に要する時間Ｉ１４が表示されている。また、図６に示す例では、部品の修理／交換作業に関する情報として、設置場所Ｉ２１及び修理／交換作業の対象の部品の名称Ｉ１２が表示されている。しかしながら、部品の修理／交換作業に関する情報の作業者への表示は、これに限らない。部品の修理／交換作業に関する情報の表示は、コンソール４０の修理作業を実施する作業者が、部品の修理／交換作業に要する時間を把握するに足る情報であればよい。例えば、修理／交換作業に関する情報の表示は、設置場所Ｉ１１、修理／交換作業の対象の部品の名称Ｉ１２及び部品の修理／交換作業に要する時間Ｉ１４のうち、いずれか１つの表示であってもよい。また、例えば、修理／交換作業に関する情報の表示は、例えばコンソール４０に生じた不具合を特定するための情報等の故障情報の一部であってもよい。これらの構成であっても、上述の実施形態と同様の効果が得られる。
【００８７】
なお、図３のステップＳ１０１及び図５のステップＳ２０１で取得される故障情報は、修理又は交換が必要なコンソール４０の部品を特定するための情報であってもよいし、コンソール４０の不具合が検知されたときに生成されたエラーコードであってもよいし、要求される修理／交換作業を特定するための情報であってもよい。また、修理／交換作業の対象が同一であっても、交換であるか修理であるかに応じて作業時間が異なるため、故障情報には、交換作業であるか修理作業であるかを特定するための情報がさらに含まれていてもよい。また、故障情報として、例えばユーザの操作に応じた入力インターフェース４３１の出力が取得されてもよい。このとき、故障情報は、例えば、Ｘ線が出ない、画像再構成ができない、アーチファクトが出る等、使用者による選択や入力の結果であってもよいし、使用者による自由入力の結果から抽出されたキーワード等であってもよい。これらの構成であっても、上述の実施形態と同様の効果が得られる。
【００８８】
なお、上述の各実施形態において、バックアップ及びリストアのいずれか一方に関してデータ転送速度が決定され、決定されたデータ転送速度が両方のデータ転送速度として用いられてもよい。このような構成は、例えば最も遅い速度が通信速度である場合に有用である。
【００８９】
なお、上述の各実施形態において、附帯作業に要する時間の算出において、バックアップ対象の医用データのデータ数がさらに用いられてもよい。当該データ数は、例えば図３のステップＳ１０４又は図５のステップＳ２０３で取得される。このような構成は、例えばバックアップ対象の医用データに含まれるデータ数が大きいとき、データ転送速度の算出精度の向上に寄与する。
【００９０】
なお、上述の各実施形態において、ＨＤＤ故障等により、バックアップ対象の医用データのデータ量が取得できない場合もあり得る。このため、例えば、コンソール４０の起動時や予め設定されてメモリ４１に記憶されているタイミングで、その時点での医用データのデータ容量やデータ数が取得されて、メモリ４１に保持されていてもよい。この構成であれば、ＨＤＤ故障時等によりバックアップ対象の医用データのデータ量が取得できない場合であっても、附帯作業に要する時間を算出することができる。
【００９１】
なお、上述の各実施形態において、バックアップ対象の医用データは、例えば、Ｘ線コンピュータ断層撮影装置１の機種や撮影条件ごとに、データ数とデータ量との間に相関がある場合もある。このような場合には、バックアップ先との間のデータ転送速度として、データ数あたりのデータ転送速度が用いられてもよい。この構成であっても上述の実施形態と同様の効果が得られる。
【００９２】
なお、上述の各実施形態において、読出速度や書込速度は、メモリ４１やバックアップ先の記憶領域のスペックとして、予め取得されてメモリ４１等に記憶されていてもよい。また、過去に取得されたデータ転送速度と、データ量及び／又はデータ数との関係がメモリ４１等に記憶されていてもよい。また、通信速度が一定であるとみなせる場合には、通信速度が予め取得されてメモリ４１等に記憶されていてもよい。また、夜間は通信量が少ない等、時間帯に通信速度が変動する場合もあるため、複数の時間帯に関して通信速度が予め取得されてメモリ４１等に記憶されていてもよい。これらの構成であっても上述の実施形態と同様の効果が得られる。
【００９３】
なお、上述の各実施形態において、ネットワーク３を介してＸ線コンピュータ断層撮影装置１と接続される保存サーバ２がバックアップ先である場合を例として説明しているが、これに限らない。バックアップ先は、コンソール４０の接続インターフェース４３２を介して接続されたＤＶＤドライブやＢＤドライブ、ＨＤＤ等の外部記憶装置であってもよい。このとき、読出速度及び書込速度のうち、いずれか遅い速度がバックアップ先との間のデータ転送速度として決定されればよい。この構成であっても上述の実施形態と同様の効果が得られる。
【００９４】
なお、上述の各実施形態において、附帯作業に関する情報の表示として、バックアップに要する時間及びリストアに要する時間の表示が行われる場合を例として説明したが、これに限らない。附帯作業に関する情報の表示は、バックアップに要する時間Ｉ１３と、リストアに要する時間Ｉ１５と、バックアップ及びリストアに要する合計時間とのうち、少なくとも１つの時間の表示であればよい。また、附帯作業は、バックアップ及びリストアのいずれか一方であってもよい。例えば、メモリ４１に記憶されている医用データのバックアップが定期的に行われている等の理由から、コンソール４０の修理作業において医用データのバックアップが不要である場合もあり得る。このようなとき、バックアップに要する時間の表示は行われなくてもよい。また、例えば、ＨＤＤ交換を伴わない等の理由から、コンソール４０の修理作業において医用データのリストアが不要な場合もあり得る。このようなとき、リストアに要する時間の表示は行われなくてもよい。これらの構成であれば、より状況に則した作業時間を作業者へ提示できる。
【００９５】
なお、上述の各実施形態において、コンソール４０で通知画像が生成されて作業者端末７へ送信される場合を例として説明したが、これに限らない。通知画像は、サービスセンタ端末５で生成されて作業者端末７へ送信されてもよいし、作業者端末７で生成されてもよい。また、コンソール４０で生成された通知画像は、サービスセンタ端末５を介して作業者端末７へ送信されてもよい。また、通知画像の表示は、作業者端末７に限らず、Ｘ線コンピュータ断層撮影装置１で表示されてもよいし、サービスセンタ端末５で表示されてもよい。これらの構成であれば、作業者は、Ｘ線コンピュータ断層撮影装置１の使用者へ作業時間を通知する手間を省くこともできる。また、使用者は、作業者からの連絡に先立って作業時間の確保をすることができる。
【００９６】
なお、上述の各実施形態において、バックアップ、部品の修理／交換作業及びリストアが一度に連続して行われる場合を例として説明したが、これに限らない。例えば、Ｘ線コンピュータ断層撮影装置１の使用計画の都合から、コンソール４０の修理作業に要する時間が確保できない場合もあり得る。このため、例えば修理／交換作業が終了した後に撮影が再開されてもよい。上述の各実施形態に係る技術によれば、リストアに要する時間が既知であるから、リストアは、撮影後にリストアに要する時間が確保できるタイミングで行うことができる。
【００９７】
なお、上述の各実施形態において、例えば作業者端末７の処理回路７４又はコンソール４０の処理回路４４は、作業者から使用者へ作業時間を通知するための画像を生成してもよい。このとき、提示された作業時間を作業者が編集し、編集された作業時間が使用者へ通知されるように構成されていてもよい。
【００９８】
また、上記のようにコンソール４０の修理作業に要する時間が確保できない場合もあり得るため、作業者から使用者へ作業時間を通知するための画像には、リストア時間を除いた作業時間を最短の復旧時間として表示してもよい。図７は、図２の医用システム９で使用者に提示される通知画像Ｉ３０の一例を示す模式図である。図７に示す例では、通知画像Ｉ３０は、修理／交換作業の対象の部品の名称Ｉ３１と、コンソール４０の修理作業に要する作業時間Ｉ３２と、リストア時間を除いた最短の作業時間Ｉ３３とを含む。この構成であれば、Ｘ線コンピュータ断層撮影装置１の使用者は、コンソール４０の修理作業と、撮影とを効率よく計画できる。
【００９９】
なお、上述の各実施形態において、通知画像は生成されなくてもよく、通知情報の作業者への提示は、テキストデータや音声によって行われてもよい。
【０１００】
なお、第１の実施形態においてメモリ４１に故障情報と対応付けられて記憶されている各種の作業時間（基準時間）や第２の実施形態において修理／交換作業のマニュアルに記載されている各種の作業時間（基準時間）は、例えば工場での修理／交換作業を基にして算出された標準的な作業時間である。しかしながら、これらの基準時間は、例えば過去の作業時間の平均値等、過去に実施された修理／交換作業に要した時間を基にして算出された時間であってもよい。このとき、修理／交換作業に要した時間を集積するために、コンソール４０の処理回路４４は、作業時間を計測する時間計測機能をさらに実行できるように構成されている。例えば、時間計測機能を実現する処理回路４４は、コンソール４０の修理作業のためにシャットダウンされた時刻と、部品の修理作業や交換作業後の再セットアップや動作確認が終了した時刻とを取得し、実際の作業時間を取得する。ここで、部品の修理作業や交換作業後の再セットアップや動作確認に係る作業は、上述したように、修理／交換作業に含まれる。なお、処理回路４４は、部品の修理作業や交換作業後の再セットアップや動作確認が開始された時刻をさらに取得してもよい。このとき、実際の作業時間は、部品の修理作業や交換作業に要した時間と、当該再セットアップや動作確認に要した時間とに分離可能である。取得された実際の作業時間は、故障情報と対応付けられて、メモリ４１等に集積される。
【０１０１】
なお、上述のような実際の修理／交換作業に要した時間の集積は、１つのＸ線コンピュータ断層撮影装置１に限らず、複数の設置場所で集積された複数の作業時間に対して行われてもよい。また、実際の作業時間は、メモリ４１に限らず、例えばサービスセンタ端末５において集積されてもよい。複数の設置場所に対して集積された実際の作業時間は、例えば、コンソール４０の構成やＸ線コンピュータ断層撮影装置１の状態、作業者ごとに集積される。
【０１０２】
なお、修理／交換作業に要する時間は、機械学習モデルを用いて算出されてもよい。機械学習モデルは、例えばメモリ４１に記憶されている。機械学習モデルは、例えば、上述のようにして集積された作業時間を用いて、故障情報を入力して修理／交換作業に要する時間を出力するように学習及び／又は強化学習される。例えば、図３のステップＳ１０２において、処理回路４４は、取得された故障情報を機械学習モデルへ入力する。処理回路４４は、機械学習モデルの出力を修理／交換作業に要する時間として取得する。なお、機械学習モデルは、故障情報に加えて、設置場所や作業者をさらに用いて学習及び／又は強化学習されてもよい。なお、処理回路４４は、故障情報を入力して修理／交換作業に要する時間を出力するようにパラメータが学習された各実施形態に係る機械学習モデルと同様の機能を実現する回路構成を有していてもよい。当該回路構成は、例えば、ＡＳＩＣやＰＬＤ等の集積回路により実現される。
【０１０３】
なお、修理／交換作業に要する時間は、第１の実施形態においてメモリ４１に記憶されている基準時間や第２の実施形態において修理／交換作業のマニュアルに記載されている基準時間と、所定の変換式や係数とを用いて算出されてもよい。これらの所定の変換式や係数は、予め設定されてメモリ４１等に記憶されていればよい。所定の変換式や係数は、例えば、コンソール４０の周囲に十分な作業スペースがあるときや作業者の熟練度が高いとき、基準時間より短い修理／交換作業に要する時間が算出されるように設定される。
【０１０４】
これらの構成であれば、作業者の技量や経験、作業場所の環境を考慮した作業時間を提示することができる。
【０１０５】
なお、上述の各実施形態において、故障情報取得機能４４５は、故障を検知したり、故障を予測したりしてもよい。つまり、故障情報取得機能４４５は、故障を検知する故障検知機能を含んでいてもよいし、故障を予測する故障予測機能を含んでいてもよい。故障検知や故障予測は、例えば、Ｘ線コンピュータ断層撮影装置１のユーザの入力に応じた入力インターフェース４３１の出力に基づいて行われる。ユーザは、コンソール４０に起因する不具合が生じたと判断したとき、入力インターフェース４３１を介して、当該不具合に関する情報を入力する。例えば、ユーザは、Ｘ線が出なかったり、アーチファクトが出る等の画像不良が生じていたり、画像再構成ができなかったりしたとき、コンソール４０に起因する故障が生じたと判断する。このような判断は、例えば始業・終業点検において行われる。なお、故障検知や故障予測は、故障情報取得機能４４５を実現する処理回路４４が、コンソール４０の動作を監視することにより行われてもよいし、動作不良に関するログを参照することにより行われてもよい。動作の監視は、例えば、プロセッサやメモリに関する使用率、その継続時間、不良セクタの検出結果、温度センサの出力値、ファンの回転数等に対して行われる。
【０１０６】
以上説明した少なくとも１つの実施形態によれば、医用画像診断装置のコンソールの修理作業に関して、適切な作業時間を提示することができる。
【０１０７】
上記説明において用いた「プロセッサ」という文言は、例えば、ＣＰＵやＧＰＵ、ＡＳＩＣ、ＰＬＤ等の回路を意味する。ＰＬＤは、ＳＰＬＤ、ＣＰＬＤ、ＦＰＧＡを含む。プロセッサは記憶回路に保存されたプログラムを読み出し実行することで機能を実現する。プログラムが保存された記憶回路は、コンピュータ読取可能な非一時的記録媒体である。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。また、プログラムを実行するのではなく、論理回路の組合せにより当該プログラムに対応する機能を実現してもよい。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１及び図２における複数の構成要素を１つのプロセッサへ統合してその機能を実現するようにしてもよい。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１…Ｘ線コンピュータ断層撮影装置（医用画像診断装置）、
２…保存サーバ、
３…ネットワーク、
５…サービスセンタ端末、
７…作業者端末（端末装置）、
９…医用システム、
１０…架台、
１１…Ｘ線管、
１２…Ｘ線検出器、
１３…回転フレーム、
１４…Ｘ線高電圧装置、
１５…制御装置、
１６…ウェッジ、
１７…コリメータ、
１８…データ収集回路（ＤＡＳ）、
１９…開口部、
３０…寝台、
３１…基台、
３２…支持フレーム、
３３…天板、
３４…寝台駆動装置、
４０…コンソール、
４１…メモリ、
４２…ディスプレイ（表示部）、
４４…処理回路、
７１…メモリ、
７２…ディスプレイ（表示部）、
７３…入出力インターフェース（受信部）、
７４…処理回路、
４３１…入力インターフェース、
４３２…接続インターフェース、
４４１…システム制御機能、
４４２…再構成処理機能、
４４３…画像処理機能、
４４４…表示制御機能、
４４５…故障情報取得機能（取得部）、
４４６…転送情報取得機能（取得部）、
４４７…作業時間算出機能（算出部）、
４４８…通知画像生成機能（生成部）。
【図１】
2020067705.tif 000003
【図２】
2020067705.tif 000004
【図３】
2020067705.tif 000005
【図４】
2020067705.tif 000006
【図５】
2020067705.tif 000007
【図６】
2020067705.tif 000008
【図７】
2020067705.tif 000009